(57)【特許請求の範囲】
【請求項１】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の下端側に突起を設けて水貯留部を形成したことを特徴とする建物における暑熱環境緩和装置。
【請求項２】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の上面に水浸透性を有する保水部材を設けたことを特徴とする建物における暑熱環境緩和装置。
【請求項３】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の下端側に突起を設けて水貯留部を形成すると共に、上面に水浸透性を有する保水部材を設けたことを特徴とする建物における暑熱環境緩和装置。
【請求項４】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の全面に間隔をおいて突起を設けて水貯留部を形成したことを特徴とする建物における暑熱環境緩和装置。
【請求項５】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の全面に間隔をおいて突起を設けて水貯留部を形成すると共に、前記日除け板の突起間に水浸透性を有する保水部材を設けたことを特徴とする建物における暑熱環境緩和装置。
【請求項６】
水貯留部の下方に、多数の日除け板を吊持用紐により所定間隔で配列して保持すると共に、多数の前記日除け板を開閉操作用紐により連動して開閉可能な構成とした日除け部材を建物の開口部に設置する構成とし、前記水貯留部内の貯留水を前記吊持用紐を介して夫々の前記日除け板の表面に供給して、夫々において蒸発に供する構成とし、前記日除け板の全面に間隔をおいて突起を設けて水貯留部を形成すると共に、前記日除け板の突起間に薄層タイプの植物を植栽したことを特徴とする建物における暑熱環境緩和装置。」
【発明の詳細な説明】
【技術分野】
【０００１】
本発明は建物における暑熱環境緩和装置に関するものである。
【背景技術】
【０００２】
夏季においては、建物の冷房負荷削減と温熱環境向上を目的として、ブラインドや熱線フィルムや簾等を窓に設置して日射を遮蔽することが従来から行われてきた。しかしながら、地球温暖化の抑制がより一層要求されている社会情勢を踏まえると、増加傾向に歯止めがかからない民生用エネルギーの削減対策が極めて重要な課題で、建物の冷房負荷をより一層削減できる対策が必要である。また、省エネ法の延べ床面積の小さな既存建物への適用が検討され、民生部門の省エネ規制が厳格化していることを踏まえると、既存建物へ適用可能な対策が必要である。
【０００３】
以上の対策の一つとして、例えば特許文献１では、網構造の外装部材を建物の外表面に取り付けて散水することにより、建物の外表面の温度上昇を水の気化熱により抑制するものが提案されている。
【特許文献１】特開２００７−１７７６１６号公報
【発明の開示】
【発明が解決しようとする課題】
【０００４】
しかしながら特許文献１に記載されたものは、水を利用して建物の外表面の冷却を図るに過ぎず、建物の開口部を介しての暑熱の緩和を図る発想はない。
本発明は、このような点に鑑みて創案されたもので、建物の開口部個所において、日除けによる日射遮蔽と、水分気化熱の相乗作用により、建物の開口部の暑熱の緩和を効果的に行うことを目的とするものである。
【課題を解決するための手段】
【０００５】
上述した課題を解決するために、建物の開口部又は外壁個所に日除け部材を設置し、この日除け部材の上部に、その幅方向の各所に水を供給可能な給水部を配置して、水を日除け部材に沿って流下させる構成とすると共に、日除け部材の下部に、流下した水を受ける受水部を配置した建物における暑熱環境緩和装置を提案する。
【０００６】
また本発明は、上記の構成において、給水部は、日除け部材の上部に幅方向に沿って板状の吸水部材を配置することにより、日除け部材の幅方向の各所に水を供給可能に構成することを提案する。
【０００７】
また本発明は、上記の構成において、給水部は、日除け部材の上部に幅方向に沿って給水個所を配置することにより、日除け部材の幅方向の各所に水を供給可能に構成することを提案する。
【０００８】
また本発明は、以上の構成において、建物の上部に設けた雨水溜まり部から、建物の下部に設けた雨水貯水槽に雨水排水管を構成すると共に、雨水貯水槽から雨水溜まり部に至る還水系統を構成することを提案する。
【０００９】
この場合、本発明では、この構成において、雨水溜まり部は建物の上部に設けた貯水槽であり、この貯水槽に還水系統の下流側を接続すること、又は雨水溜まり部は雨樋であり、雨水貯水槽から屋根に至る還水系統を構成することを提案する。
【００１０】
また本発明では、上記の構成において、還水系統のポンプを、建物に設置した太陽光発電パネルにより発電した電力により駆動する構成とすることを提案する。
【００１１】
また本発明では、上記の構成において、雨水貯水槽に、雨水以外の給水源からの水を供給可能な構成とすることを提案する。
【００１２】
また本発明は、以上の構成において、日除け部材は、水浸透性又は通気性を有する膜状体として構成すること、又は多数の日除け板を配列させて開閉可能に構成することを提案する。
【００１３】
そして本発明では、上記の構成において、日除け部材に、堰や凹凸による水貯留部を形成することを提案する。
【００１４】
また本発明では、上記の構成において、日除け部材に、保水部材を配置することを提案する。
【００１５】
更に本発明では、上記の構成において、植物を保水部材として利用することを提案する。
【発明の効果】
【００１６】
本発明の建物における暑熱環境緩和装置では、開口部を通して建物内に入射する日射を日除け部材により遮蔽すると共に、給水部から供給されて日除け部材の上部から流下する水が蒸発することにより日除け部材の温度が低下して、近傍の気温を低下させることができ、また日除け部材の日陰側の外壁等の表面温度や、開口部を開とした通風時の室内温度を低下させることができることから建物の開口部個所の暑熱を効果的に緩和することができる。また建物の外壁の表面温度や、室内温度を低下させることができることから冷房負荷の低減を図ることができる。尚、本発明において開口部とは、窓やテラス等の開閉可能な開口部の他、共同住宅のベランダ等のように常時開の開口部を含む。
【００１７】
給水部から日除け部材に供給する水は、再生可能な天然資源である雨水を利用することができ、この場合、雨水を雨水貯水槽から還水系統を介して屋根に散水することにより屋根の冷却に供すると共に、蒸発しなかった余剰分は回収して再び日除け部材に供給することができるので、雨水を非常に効率的に利用することができる。
【００１８】
そして、この場合、還水系統のポンプを、建物に設置した太陽光発電パネルにより発電した電力により駆動する構成とすれば、更に再生可能な天然資源の有効利用を図ることができる。
【００１９】
上記雨水貯水槽に、雨水以外の給水源として、例えば井水等の地下水、水道水等の上水又は風呂の残り水等の中水等を供給可能とすれば、晴天が続いた場合にも日除け部材に対する水の供給を確実に行うことができる。
【００２０】
日除け部材としては、水浸透性又は通気性を有する膜状体、例えば建築現場における落下防止や、広場等の防球のために使用されている、天然繊維や合成繊維の網や布、又は網戸のように支持枠により保持されたものを用いたり、あるいはブラインドやルーバー等のように、金属製や合成樹脂製の多数の日除け板を配列させて開閉可能に構成したものを用いることができる。
【００２１】
この場合、日除け部材に堰や凹凸による水貯留部を形成して、流下する水を一時貯留する構成としたり、日除け部材に不織布等の保水部材を設置することにより、水の滞留時間を長くして、日除け部材における水の蒸発を効率的に行うことができる。
【００２２】
また保水部材として、日除け部材に植物を育成すれば、その緑陰により、より一層の暑熱緩和効果を創出することができる。例えば、つる系植物の場合には、その根の部分を受水部に位置させることにより、効果的に灌水を行い、育成を良好に行うことができる。
【００２３】
また本発明においては、日除け部材に砂埃等が付着した場合、比較的多量の給水を行うことにより清掃することができるので、建物の外面に位置する日除け部材を常時綺麗に保持することができる。
【００２４】
また本発明においては、雨水貯水槽を利用することで、地盤への雨水排水速度を遅くでき、
集中豪雨による洪水の抑制に寄与することもできる。
【発明を実施するための最良の形態】
【００２５】
次に本発明の最良の実施の形態を添付図面を参照して説明する。
まず、図１は本発明の暑熱環境緩和装置の第１の実施の形態を概念的に示すもので、この実施の形態は、本発明を共同住宅の建物に適用したものである。
即ち、図において符号１は共同住宅の建物を示すもので、２は窓であり、３はバルコニーである。バルコニー３は、床部４と手摺り壁５と上階のバルコニー３の床部４とから、開口部を有する居住空間として構成されている。
【００２６】
この実施の形態は、窓２の開口部と、バルコニー３の開口部に本発明の暑熱環境緩和装置を適用したもので、夫々の開口部に布、網、簾等の膜状の日除け部材６ａ，６ｂを設置し、それらの上部にはその幅方向の各所に水を供給可能な給水部７ａ，７ｂを配置して、水を日除け部材６ａ，６ｂに沿って流下させる構成とすると共に、日除け部材６ａ，６ｂの下部に、流下した水を受ける受水部８ａ，８ｂを配置している。尚、バルコニー３が手摺り壁５でなく、間隙を有する手摺りや柵の構成の場合には、この部分も開口部として捉えて、日除け部材６ａ，６ｂを配置する。膜状の日除け部材６ａ，６ｂを構成する材質としては、例えば簾の場合には、竹、葦、木材等を利用することができ、また布や網の場合には、綿、麻等の天然繊維、ポリエステル、塩化ビニル等の化学繊維、ガラス繊維等を利用することができる。尚、上述したように日除け部材６ａ，６ｂの幅方向の各所に水を供給可能な給水部７ａ，７ｂの構成例は後述する。
【００２７】
符号９は屋上の雨水溜まり部としての貯水槽１０から、例えば建物の地下に設けた雨水貯水槽１１に至る雨水排水管であり、この雨水排水管９は、バルブ１２ａ，１２ｂを設けた給水管１３ａ，１３ｂにより上記給水部７ａ，７ｂに接続している。また雨水排水管９には給水管１３ａ，１３ｂ，…との接続個所よりも下流側にバルブ１４を設けており、このバルブ１４を閉とすることにより、それよりも上側に水を貯留可能に構成している。更に、地下の雨水貯水槽１１から屋上の貯水槽１０に至る還水系統１５を構成すると共に、屋上に太陽光発電パネル１６を設置しており、還水系統１５のポンプ１７を、この太陽光発電パネル１６により発電した電力により駆動する構成としている。符号１６ｗは太陽光発電配線ルートを示すものである。一方、図示は省略しているが受水部８ａ，８ｂから雨水貯水槽１１には排水系統が設けられている。
【００２８】
以上の構成において、雨水排水管９の下流側に設けたバルブ１４を閉とすると、それよりも上側の雨水排水管９内に図中ハッチングで示すように貯水槽１０からの水が溜まるため、バルブ１２ａ，１２ｂを開とし、その開度を適宜に調節された給水管１３ａ，１３ｂから給水部７ａ，７ｂに水が供給され、供給された水が日除け部材６ａ，６ｂの幅方向の各所に供給されて流下する。
【００２９】
日除け部材６ａ，６ｂに供給された水は流下する間に蒸発され、その蒸発熱により日除け部材６ａ，６ｂの温度が低下して、近傍の気温を低下させるので、日除け部材６ａ，６ｂによる日射の遮蔽と相俟って、建物１の開口部個所の暑熱を効果的に緩和することができる。
【００３０】
この際、雨水排水管９から給水管１３ａ，１３ｂを経て給水部７ａ，７ｂに供給される水の量と、日除け部材６ａ，６ｂ及び受水部８ａ，８ｂにおいて蒸発する水の量を、上記バルブ１２ａ，１２ｂの開度調節により調節してバランスさせれば、受水部８ａ，８ｂには殆ど水が溜まらないが、供給される水の量が多い場合に受水部８ａ，８ｂに溜まった余剰の水は、排水系統を経て雨水貯水槽１１に排水されて再利用に供される。
【００３１】
こうして、この実施の形態では、給水部７ａ，７ｂから日除け部材６ａ，６ｂに供給する水は、再生可能な天然資源である雨水を利用し、また還水系統１５のポンプ１７を、建物１に設置した太陽光発電パネル１６により発電した電力により駆動する構成であるので、再生可能な天然資源の有効利用を図ることができる。
【００３２】
また雨水貯水槽１１には、雨水以外の給水源として、例えば井水等の地下水、水道水等の上水又は風呂の残り水等の中水等を供給可能とすれば、晴天が続いた場合にも日除け部材６ａ，６ｂに対する水の供給を確実に行うことができる。尚、図１においては、これらの雨水以外の給水源からの水を供給する系統を符号１８により示している。
【００３３】
次に図２は本発明の暑熱環境緩和装置の第２の実施の形態を概念的に示すもので、この実施の形態は、本発明を一戸建て住宅の建物に適用したものであり、図においては第１の実施の形態の構成要素に相当する構成要素には同一の符号を付している。
即ち、図２において符号１は一戸建て住宅の建物を示すもので、２は窓や外壁やテラス等であり、１９は屋根（庇の屋根を含む。）を示すものである。
この実施の形態では、第１の実施の形態とは異なり、屋根１９の上には貯水槽は設けておらず、代わりに雨水溜まり部及び給水部７として雨樋２０（又は排水受け）を利用しており、雨樋２０から雨水貯水槽１１に至る雨水排水管９に第１の実施の形態と同様にバルブ１４を設けており、このバルブ１４を閉とすることにより、それよりも上側に水を貯留可能に構成している。更に、地下の雨水貯水槽１１から屋根１９の上方の散水部２１に至る還水系統１５を構成しており、更に、屋根１９上に太陽光発電パネル１６を設置しており、還水系統１５のポンプ１７を、この太陽光発電パネル１６により発電した電力により駆動する構成としている。上述と同様に符号１６ｗは太陽光発電配線ルートを示すものである。
【００３４】
この実施の形態においては、第１の実施の形態と同様に、雨水排水管９の下流側に設けたバルブ１４を閉とすると、それよりも上側の雨水排水管９内に図中ハッチングで示すように貯水槽１０からの水が溜まり、雨樋２０にも水が溜まるため、この雨樋２０からの水が日除け部材６ａ，６ｂの幅方向の各所に供給されて流下する。このように雨樋２０から日除け部材６ａ，６ｂに水を供給する構成例は後述する。
【００３５】
以上の第２の実施の形態の動作は、日除け部材６への水の供給の方法と、還水系統１５からの還水の方法が異なるだけで、他の動作及び作用効果は上述した第１の実施の形態と同様であるので重複する説明は省略する。
【００３６】
次に図３は本発明の暑熱環境緩和装置の第３の実施の形態を概念的に示すもので、この実施の形態は、第２の実施の形態と同様に本発明を一戸建て住宅の建物に適用したものであり、図においては第２の実施の形態の構成要素に相当する構成要素には同一の符号を付している。
即ち、この第３の実施の形態では、第２の実施の形態とは異なり、雨樋２０からの雨水排水管９の下流側に分岐管２２を設け、この分岐管２２に上記給水部７としての給水管２３を配置したものである。この実施の形態では、この給水管２３から下側の受水部８に渡って日除け部材６を配置した構成である。尚、この実施の形態において、分岐管２２には、後述する図５に示すものと同様に流量調節可能なバルブを設けることができる。また、分岐管２２は外壁等に添わせて、所定の場所へ給水することもできる。
【００３７】
この第３の実施の形態では、第２の実施の形態よりも窓等の開口部寄りに日除け部材６を配置できるという点の他は、概ね、第１の実施の形態と同様であるので、重複する説明は省略する。
【００３８】
以上に説明した第１〜第３の実施の形態では、雨水貯水槽１１への貯水、雨水貯水槽１１から給水部７への給水の切替を、天候に応じてバルブを開閉することにより制御することができる。
【００３９】
即ち、共同住宅を対象とした第１の実施の形態においては、雨天時には雨水排水管９のバルブ１４を開として雨水を雨水貯水槽１１に貯水し、満水になった時点で閉として雨水排水管９内に雨水を貯留することができる。そして雨水排水管９内が満水になった場合には屋上貯水槽１０に貯水することができる。
【００４０】
そして晴天時にはバルブ１２ａ，１２ｂを開とすることにより、雨水排水管９、雨水貯水槽１０、１１に貯留されている水を利用して日除け部材６ａ，６ｂに給水を行うことができる。
【００４１】
同様に、一戸建ての建物を対象とする第２、第３の実施の形態においても、雨天時には雨水排水管９のバルブ１４を開として雨水を雨水貯水槽１１に貯水し、満水になった時点で閉として雨樋２０までの雨水排水管９内に雨水を貯留することができる。
【００４２】
そして晴天時には太陽光発電パネル１６で発電した電力により還水系統１６のポンプ１７を動作させて雨水貯水槽１１から屋根１９を介して雨樋２０に給水を行い、そして雨樋２０を経て日除け部材６に給水を行うことができる。この場合、雨樋２０から給水部７間にバルブを設けている場合には、バルブにより給水量の調節を行うことができる。
【００４３】
また以上の第１〜第３の実施の形態において、雨水のみでは日除け部材６に対しての給水量が賄えない場合を想定し、雨水貯水槽１１には、雨水以外の給水源として、例えば井水等の地下水、水道水等の上水又は風呂の残り水等の中水等を供給可能とすれば、晴天が続いた場合にも日除け部材６ａ，６ｂに対する水の供給を確実に行うことができる。
【００４４】
次に図４、図５は、上述した第３の実施の形態において、日除け部材６の幅方向の各所に水を供給可能とする給水部７の例を示す本発明の第４の実施の形態を示す概念図であり、図４は正面図、図５は側面図である。これらの図において、上述した第３の実施の形態に対応する構成要素には同一の符号を付している。
この実施の形態では、屋根１９の下方に固定治具２４により滑車２５を固定し、この滑車２５に巻き掛けた紐状体２６により上述した実施の形態と同様に膜状の日除け部材６を昇降可能に支持している。即ち、日除け部材６は、上端に剛性を有する棒体２７を設けて、この棒体２７を介して紐状体２６に接続することにより、膜状の形状を維持しつつ昇降可能に構成されている。そして第３の実施の形態と同様に雨樋２０からの雨水排水管９の下流側に分岐管２２を設け、この分岐管２２に、流量調節可能なバルブ２７を介して上記給水部７としての給水管２８を接続したものである。この場合、給水管２８の下部には日除け部材６の幅方向に延びる分配管２９を形成し、この分配管２９に沿った多数の個所に、日除け部材６の日射が当たる側、即ち表側に対応して散水部３０を形成している。散水部３０は図に示されるようにノズルとして形成する他、分配管２９に孔を設けても良い。更に、日除け部材６の上端側には、散水部３０に対応して水浸透性を有する給水分散板３１を設けている。
【００４５】
以上に示す構成においては、分岐管２２からバルブ２７により流量調節されて給水管２８に至った水は、分配管２９を経て日除け部材６の幅方向に多数配置された散水部３０から散水され、更に給水分散板３１により幅方向に分散されて、日除け部材６の上部に給水される。
【００４６】
こうして水は日除け部材６の幅方向に良好に分散されて給水されて流下し、この際、上述したように蒸発して、その蒸発熱により日除け部材６、そしてその近傍を効果的に冷却することができる。
【００４７】
次に、図６、図７は、上述した第２の実施の形態において、日除け部材６ａ，６ｂの幅方向の各所に水を供給可能とする給水部７の例を示す本発明の第５の実施の形態を示す概念図であり、図６は正面図、図７は側面図である。これらの図において、上述した第２の実施の形態に対応する構成要素には同一の符号を付している。
この実施の形態では、雨樋２０の下方に固定治具２４により滑車２５を固定し、この滑車２５に巻き掛けた紐状体２６により上述した実施の形態と同様に膜状の日除け部材６を昇降可能に支持しており、日除け部材６の上端には剛性を有する棒体２７を設けて、この棒体２７を介して紐状体２６に接続することにより、膜状の形状を維持しつつ昇降可能に構成されている。そして雨樋２０から日除け部材６の表側まで水浸透性を有する給水分散板３２が配置されており、また日除け部材６の上端側には、第４の実施の形態と同様に水浸透性を有する給水分散板３１を設けている。図においては給水分散板３１は日除け部材６の裏側にのみ表示しているが、表側のみに設けても良いし、両側に設けても良い。
【００４８】
以上に示す構成においては、雨樋２０から給水分散板３２に至った水は、この給水分散板３２により、日除け部材６の幅方向に分散されて、その上部に給水される。
【００４９】
こうして水は、給水分散板３１、３２により日除け部材６の幅方向に良好に分散されて給水されて流下し、この際、上述したように蒸発して、その蒸発熱により日除け部材６、そしてその近傍を効果的に冷却することができる。
【００５０】
雨樋２０から給水分散板３２への給水は、雨樋２０の上縁からの溢水により行ったり、雨樋２０の上部側に給水孔を多数設けて行うことができる。
【００５１】
以上の第４、第５の実施の形態においては、紐状体２６を引いて膜状の日除け部材６を上昇させることにより使用状態として建物１の開口部個所の暑熱環境の緩和を行えると共に、日除け部材６を下降させることにより格納状態とすることができる。このようにこれらの実施の形態では、日除け部材６を下降させた状態を格納状態とするのであるが、これとは逆に上昇させた状態を格納状態とすることもできる。更に日除け部材６を脱着可能に構成することもできる。
【００５２】
次に図８、図9は膜状の日除け部材６を用いる場合における、日除け部材６の昇降機構、給水機構の他の実施の形態を示すものである。
まず図８は第６の実施の形態であり、日除け部材６は、建物の開口部個所の屋根の下方等に適宜の支持機構により回転駆動可能に設置した巻取り体３３に固定して、この巻取り体３３の正、逆方向の回転駆動により、日除け部材６の下端側を昇降可能とし、下降させた状態が使用状態、巻き上げて上昇させた状態が格納状態となるものである。このような構成において、日除け部材６の上方に、その幅方向の各所に水を供給可能な給水部７を配置して、水を日除け部材６に沿って流下させることができる。この給水部７は、第１、第２、第３、第４、第５の実施の形態において説明したような構成に適用することができる。
【００５３】
次に図９は第７の実施の形態であり、日除け部材６は、建物の開口部個所の屋根の下方等に適宜の支持機構により回転駆動可能に設置した篭状の巻取り体３４に固定して、この巻取り体３４の正、逆方向の回転駆動により、日除け部材６の下端側を昇降可能とし、下降させた状態が使用状態、巻き上げて上昇させた状態が格納状態となるものである。そして、このような構成において、篭状の巻取り体３４内に、給水孔３５を有する給水体３６を設置し、この給水体３６に給水管３７を接続して給水系統を構成している。
【００５４】
次に図１０は本発明の暑熱環境緩和装置の第８の実施の形態を概念的に示すもので、（ａ）は正面図、（ｂ）は側面図である。この実施の形態では日除け部材６は、アルミニウム等の軽金属や合成樹脂等で形成した多数の日除け板４１を、吊持用紐４２により所定間隔で配列して保持しており、また図示を省略している開閉操作用紐により多数の日除け板４１を連動して開閉可能な構成としている。そして多数配列した日除け板４１の上端には上部支持体４３、下端には下部支持体４４を設けており、上部支持体４３は吊持用紐４２により水貯留部４５の下方に支持されている。そして水貯留部４５には固定用治具４６が設けられており、この固定用治具４６により、水貯留部４５を建物の開口部個所の屋根の下方等に設置する構成としている。
【００５５】
この実施の形態の日除け部材６は、一部が従来のブラインドに類似した構成であり、上記日除け板４１、吊持用紐４２、開閉操作用紐、上部支持体４３、下部支持体４４は、従来のブラインドにおける夫々スラット、昇降コード、ラダーコード、ヘッドボックス、ボトムレールに対応する。
【００５６】
以上の構成において、図１０で示すように日除け部材６が使用状態においては、水貯留部４５内の貯留水が、まず吊持用紐４２に供給され、そしてこの吊持用紐４２を介して夫々の日除け板４１の表面に供給されて、夫々において蒸発することにより、その蒸発熱により日除け部材６、そしてその近傍を効果的に冷却することができる。
【００５７】
特にこの実施の形態においては、日除け部材６は、使用状態において日除け板４１を開閉することができるので、日除け板４１における水分の蒸発を行わせている状態において日射の遮蔽程度を調節することができる。
【００５８】
そこで次に水貯留部４５内の貯留水を吊持用紐４２に供給する機構の実施の形態を説明すると、まず図１１は第９の実施の形態を示すもので、水貯留部４５内の貯留水を、水浸透性を有する給水用紐状体４７を水貯留部４５と吊持用紐４２間に設けて、毛細管現象により供給する機構である。この内、（ａ）は給水用紐状体４７を水貯留部４５の上縁を介して水貯留部４５内に至らせる構成であり、また（ｂ）は給水用紐状体４７を水貯留部４５の底面に形成した孔を介して水貯留部４５内に至らせる構成であり、この孔には防水処理部４８を形成している。尚、図１１においては図示を省略しているが、日除け部材６の上部支持体４３は適宜の支持機構により水貯留部４５の下方に支持されている。
【００５９】
次に図１２は水貯留部４５内の貯留水を吊持用紐４２に供給する他の機構、即ち本発明の第１０の実施の形態を示すものであり、この機構では上部支持体４３の上方に給水管４９を設けて、給水管４９を介して吊持用紐４２に水貯留部４５内の貯留水を供給するものであり、（ａ）ではサイフォン管５０により水貯留部４５内の水を給水管４９に供給し、また（ｂ）では水貯留部４５の底面を貫通させた給水管５１により水貯留部４５内の水を給水管４９に供給する構成としている。そして後者においては、給水管５１の貫通部に防水処理部５２を形成している。
【００６０】
一方、上記第８の実施の形態においては、吊持用紐４２を介して日除け板４１に供給された水を、日除け板４１の全面に良好に至らせ、できるだけ多くの水分が蒸発し易い構成とすることが望ましく、その構成の実施の形態を図１３〜図１８を参照して以下に説明する。尚、図１３〜図１８において、（ａ）は配列した日除け板４１が開状態、（ｂ）は閉状態を示すものである。
【００６１】
まず図１３に示す第１１の実施の形態では、日除け板４１の下端側に水貯留部を形成するための突起５３が形成されており、この構成では、突起で形成される水貯留部に貯留される水も蒸発に供されるため、その分、多くの水分を蒸発させることができる。
【００６２】
次に図１４に示す第１２の実施の形態では、日除け板４１の上面に不織布等の水浸透性を有する保水部材５４を貼付等で設けているため、吊持用紐４２を介して日除け板４１に供給された水は、保水部材５４により日除け板４１の全面に拡がり、そして保水されて蒸発に供されるため、多くの水分を効果的に蒸発させることができる。
【００６３】
次に図１５に示す第１３の実施の形態では、図１３に示されるように下端側に水貯留部を形成するための突起５３が形成された日除け板４１の突起間に、図１４に示されるように不織布等の水浸透性を有する保水部材５４を設けているため、夫々の相乗作用により、更に多くの水分を効果的に蒸発させることができる。
【００６４】
次に図１６に示す第１４の実施の形態では、水貯留部を形成するための突起５３を日除け板４１の全面に設けているため、図１３に示される構成よりも多くの水を貯留することができ、その分、多くの水分を蒸発させることができる。
【００６５】
次に図１７に示す第１５の実施の形態では、水貯留部を形成するための突起５３を全面に設けた日除け板４１の突起間に不織布等の水浸透性を有する保水部材５４を設けているため、夫々の相乗作用により、更に多くの水分を効果的に蒸発させることができる。
【００６６】
次に図１８に示す第１６の実施の形態では、水貯留部を形成するための突起５３を全面に設けた日除け板４１の突起間に、コケ類等の薄層タイプの植物５５を植栽したもので、この構成では、多くの水分を効果的に蒸発させることができると共に、美観的にも優れる。
【００６７】
尚、上述した保水部材５４や植物５５は日除け板４１の裏面側に設けることもできる。また以上の構成の他、日除け板４１は多数の孔を形成して表裏に渡る通気性を良好にすることにより、蒸発を促進する構成とすることもできる。
【００６８】
次に本発明の暑熱環境緩和装置を適用した場合の空調用電力量の削減効果を、共同住宅を例として計算により評価した結果は以下の通りである。
１．主な計算条件
ａ．建物寸法：間口8m×奥行き10m×高さ2.4m
ｂ．窓：幅1.8m×高さ1.8mの透明3mmガラスが東西の向きに各2個所
ｃ．外気温度：32℃、室内設定温度28℃
ｄ．内部発熱：人員4人，顕熱55W/人、
機器発熱500W（家電：200W，照明：300W）
ｅ．エアコン使用時間：750ｈ（負荷率40％）
ｆ．エアコンのCOP：3 [W/W]
ｇ．日除け部材：面積8m2、西向き
ｈ．隣室と上下階との熱収支：無し
ｉ．暑熱環境緩和効果：西側の気温1.5℃低下、日除け部材の日射透過率:0.5
２．計算結果
電力量削減分：約150kWh/冷房3ヵ月(約19kWh/(冷房3ヵ月・m2)) 
二酸化炭素排出量削減分：約83kg-CO2/冷房3ヵ月…注１)
(約10kg-CO2/(冷房3ヵ月・m2))
電気代削減分：約5000 円/冷房3ヵ月…注2）
（約600 円/(冷房3ヵ月・m2)） 
注1）0.555kg-CO2/kWh で計算      注2）21 円/kWhで計算。
【００６９】
本発明の暑熱環境緩和装置では、以上に説明した実施の形態の他に、次のような実施の形態が可能である。
１．膜状の日除け部材としてネットを用い、そのネットに例えば朝顔やヘデラ植栽等のつる系植物を育成して、日射遮蔽と水分気化熱による暑熱緩和効果と共に美観の向上等の相乗効果を創出することができる。
２．膜状の複数の日除け部材を重ね、それらの間隔の調整や、夫々の厚さや隙間の調整を行うことにより、暑熱環境緩和効果を可変とすることができる。
３．膜状体に付着した砂埃を給水によって清掃することができる。
【産業上の利用可能性】
【００７０】
本発明は上述したような数々の効果を奏するものであり、共同住宅や一戸建て住宅等の建物の開口部又は外壁個所において、日除けによる日射遮蔽と、水分気化熱の相乗作用により、建物の暑熱の緩和を効果的に行うことができる。
【図面の簡単な説明】
【００７１】
【図１】本発明の暑熱環境緩和装置の第１の実施の形態を概念的に示すものである。
【図２】本発明の暑熱環境緩和装置の第２の実施の形態を概念的に示すものである。
【図３】本発明の暑熱環境緩和装置の第３の実施の形態を概念的に示すものである。
【図４】本発明の暑熱環境緩和装置の第４の実施の形態を概念的に示す正面図である。
【図５】本発明の暑熱環境緩和装置の第４の実施の形態を概念的に示す側面図である。
【図６】本発明の暑熱環境緩和装置の第５の実施の形態を概念的に示す正面図である。
【図７】本発明の暑熱環境緩和装置の第５の実施の形態を概念的に示す側面図である。
【図８】本発明の暑熱環境緩和装置の第６の実施の形態を概念的に示す要部側面図である。
【図９】本発明の暑熱環境緩和装置の第７の実施の形態を概念的に示す要部側面図である。
【図１０】本発明の暑熱環境緩和装置の第８の実施の形態を概念的に示すものである。
【図１１】本発明の暑熱環境緩和装置の第９の実施の形態を概念的に示すものである。
【図１２】本発明の暑熱環境緩和装置の第１０の実施の形態を概念的に示すものである。
【図１３】本発明の暑熱環境緩和装置の第１１の実施の形態を概念的に示すものである。
【図１４】本発明の暑熱環境緩和装置の第１２の実施の形態を概念的に示すものである。
【図１５】本発明の暑熱環境緩和装置の第１３の実施の形態を概念的に示すものである。
【図１６】本発明の暑熱環境緩和装置の第１４の実施の形態を概念的に示すものである。
【図１７】本発明の暑熱環境緩和装置の第１５の実施の形態を概念的に示すものである。
【図１８】本発明の暑熱環境緩和装置の第１６の実施の形態を概念的に示すものである。
【符号の説明】
【００７２】
１                      建物
２                      窓
３                      バルコニー
４                      床部
５                      手摺り壁
６（６ａ，６ｂ）        日除け部材
７（７ａ，７ｂ）        給水部
８（８ａ，８ｂ）        受水部
９                      雨水排水管
１０                    貯水槽
１１                    雨水貯水槽
１２（１２ａ，１２ｂ）  バルブ
１３（１３ａ，１３ｂ）  給水管
１４                    バルブ
１５                    還水系統
１６                    太陽光発電パネル
１６ｗ                  太陽光発電配線ルート
１７                    ポンプ
１８                    雨水以外の給水源からの給水系統
１９                    屋根
２０                    雨樋（排水受け）
２１                    散水部
２２                    分岐管
２３                    給水管
２４                    固定治具
２５                    滑車
２６                    紐状体
２７                    バルブ
２８                    給水管
２９                    分配管
３０                    散水部
３１、３２              給水分散板
３３、３４              巻取り体
３５                    給水孔
３６                    給水体
３７                    給水管
４１                    日除け板
４２                    吊持用紐
４３                    上部支持体
４４                    下部支持体
４５                    水貯留部
４６                    固定用治具
４７                    給水用紐状体
４８                    防水処理部
４９                    給水管
５０                    サイフォン管
５１                    給水管
５２                    防水処理部
５３                    突起
５４                    保水部材
５５                    植物
【図１】
0005105609.tif 000002
【図２】
0005105609.tif 000003
【図３】
0005105609.tif 000004
【図４】
0005105609.tif 000005
【図５】
0005105609.tif 000006
【図６】
0005105609.tif 000007
【図７】
0005105609.tif 000008
【図８】
0005105609.tif 000009
【図９】
0005105609.tif 000010
【図１０】
0005105609.tif 000011
【図１１】
0005105609.tif 000012
【図１２】
0005105609.tif 000013
【図１３】
0005105609.tif 000014
【図１４】
0005105609.tif 000015
【図１５】
0005105609.tif 000016
【図１６】
0005105609.tif 000017
【図１７】
0005105609.tif 000018
【図１８】
0005105609.tif 000019